(57)【特許請求の範囲】
【請求項１】
壁面等に接触する当接面を備えた本体部と、相互に弾性変形することで前記本体部に着脱可能に装着される矩形外形形状のカバー部とを備え、内部に配線・配管材を収容可能な配線・配管材保護ダクトを前記本体部と前記カバー部とを組み付けた状態のまま切断する保護ダクト切断工具であって、
前記本体部の当接面を受ける受け部と、この受け部に、前記本体部に前記カバー部が装着された状態で受けられた保護ダクトを前記受け部に対して位置固定された刃軸を中心に回動して切断する切断刃とを備え、 
更に、切断時に前記受け部を挟んで前記刃軸と対向する位置に、前記切断刃が切断されるべき保護ダクトのカバー部に切り込む際に、その切断力によって外方向に変形をする前記カバー部の天壁を該天壁の形状に沿って前記受け部との相対的位置を保持しつつ受け止める天壁変形防止部と、前記カバー部の側壁を該側壁の形状に沿って前記受け部との相対的位置を保持しつつ受け止める側壁変形防止部とからなる変形防止部を備え，
前記天壁変形防止部は、前記側壁変形防止部から前記刃軸側に向けて延設されたことを特徴とする保護ダクト切断工具。
【請求項２】
変形防止部は、受け部に連続して設けられ、天壁変形防止部と側壁変形防止部とは、切断されるカバー部の反刃軸側の側壁及び天壁に沿ったＬ字形状をなすことを特徴とする請求項１記載の保護ダクト切断工具。
【請求項３】
天壁変形防止部の長さは、受け止めるべき保護ダクトのカバー部の天壁の切断長さの半分以上の長さで該カバー部を受け止める長さとなっていることを特徴とする請求項１または２記載の保護ダクト切断工具。
【請求項４】
変形防止部の天壁変形防止部と側壁変形防止部とは、刃軸に対して受け部で受けられる保護ダクトを挟んで対向した位置にある受け部軸を中心に共回動可能に設けられていることを特徴とする請求項１から３のいずれか記載の保護ダクト切断工具。
【請求項５】
変形防止部の天壁変形防止部と側壁変形防止部と、更に受け部とが、保護ダクト保持部として一体化され、刃軸に対して受け部で受けられる保護ダクトを挟んで対向した位置にある受け部軸を中心に共回動可能に設けられていることを特徴とする請求項１から４のいずれか記載の保護ダクト切断工具。
【請求項６】
保護ダクト保持部を切断刃から遠ざかるように回動させると、より小形の配線・配管材保護ダクトを受ける小受け部が使用可能となることを特徴とする請求項５記載の保護ダクト切断工具。
【請求項７】
受け部に、より小形の配線・配管材保護ダクトを受ける小受け部が設けられていることを特徴とする請求項１から４のいずれか記載の保護ダクト切断工具。
【発明の詳細な説明】
【技術分野】
【０００１】
本発明は、壁面等に接触する当接面を備えた本体部と、相互に弾性変形することで前記本体部に着脱可能に装着される矩形外形形状のカバー部とを備え、内部に配線・配管材を収容可能な配線・配管材保護ダクトを切断する保護ダクト切断工具に関する。
【背景技術】
【０００２】
配線・配管材保護ダクトや塩化ビニール製パイプなどを切断するための切断工具は種々提案されている。
【０００３】
図１５は、本発明の背景技術となる切断工具を例示するもので、（ａ）はその正面図、（ｂ）は（ａ）を上方より見た所を示す上面図である。
【０００４】
この切断工具２０は、切断軸１１ａを中心に回動する切断刃１１と、被切断材（大径パイプ）Ｐ１を受ける受け部１２と、切断軸１１ａと同じ回動軸１５ａを中心に回動して、被切断材Ｐ１を切断刃１１から被切断材Ｐ１の軸方向に所定間隔離れた位置で抑える保持アーム１５と、これら切断刃１１、受け部１２等を備えた工具本体１６と、切断刃１１を回動切断動作させるための固定側ハンドル１７Ａと移動側ハンドル１７Ｂとからなる操作部１７とを備えている。
【０００５】
この切断工具２０は、円弧形状の受け部１２に対して、切断軸１１ａと同軸で被切断材Ｐ１を押さえる保持アーム１５を設け、小さな被切断材（小径パイプ）Ｐ２も切断でき、また、保持アーム１５が切断刃１１から被切断材Ｐ１の軸方向に所定間隔離れた位置で被切断材Ｐ１、Ｐ２を押さえるので、切り口を直角にできる（特許文献１の段落［００２２］、［００２３］）、という効果があるというものである。
【０００６】
しかしながら、この保持アーム１５を備えた切断工具２０のは、上述のような変形しにくい塩化ビニール製パイプの切断には好適ではあるが、この保持アーム１５は、被切断材を周方向には部分的にのみ押さえるものであり、このような切断工具２０は、本体部にカバー部を弾性変形により装着するような、変形しやすい配線・配管材保護ダクトを切断するには適さないものであった。
【特許文献１】特開２００３−１０５７１号公報（図１、図２）
【発明の開示】
【発明が解決しようとする課題】
【０００７】
本発明は、上記の問題を解決しようとするものであり、変形しやすいを配線・配管材保護ダクトを好適に切断することができる保護ダクト切断工具を提供することを目的とする。
【課題を解決するための手段】
【０００８】
請求項１記載の保護ダクト切断工具によれば、壁面等に接触する当接面を備えた本体部と、相互に弾性変形することで前記本体部に着脱可能に装着される矩形外形形状のカバー部とを備え、内部に配線・配管材を収容可能な配線・配管材保護ダクトを前記本体部と前記カバー部とを組み付けた状態のまま切断する保護ダクト切断工具であって、
前記本体部の当接面を受ける受け部と、この受け部に、前記本体部に前記カバー部が装着された状態で受けられた保護ダクトを前記受け部に対して位置固定された刃軸を中心に回動して切断する切断刃とを備え、 
更に、切断時に前記受け部を挟んで前記刃軸と対向する位置に、前記切断刃が切断されるべき保護ダクトのカバー部に切り込む際に、その切断力によって外方向に変形をする前記カバー部の天壁を該天壁の形状に沿って前記受け部との相対的位置を保持しつつ受け止める天壁変形防止部と、前記カバー部の側壁を該側壁の形状に沿って前記受け部との相対的位置を保持しつつ受け止める側壁変形防止部とからなる変形防止部を備え，前記天壁変形防止部は、前記側壁変形防止部から前記刃軸側に向けて延設されたことを特徴とする。
【０００９】
請求項２記載の保護ダクト切断工具は、請求項１に従属し、変形防止部は、受け部に連続して設けられ、天壁変形防止部と側壁変形防止部とは、切断されるカバー部の反刃軸側の側壁及び天壁に沿ったＬ字形状をなすことを特徴とする。
【００１０】
請求項３記載の保護ダクト切断工具は、請求項１または２に従属し、天壁変形防止部の長さは、受け止めるべき保護ダクトのカバー部の天壁の切断長さの半分以上の長さで該カバー部を受け止める長さとなっていることを特徴とする。
【００１１】
請求項４記載の保護ダクト切断工具は、請求項１から３のいずれかに従属し、変形防止部の天壁変形防止部と側壁変形防止部とは、刃軸に対して受け部で受けられる保護ダクトを挟んで対向した位置にある受け部軸を中心に共回動可能に設けられていることを特徴とする。
【００１２】
請求項５記載の保護ダクト切断工具は、請求項１から４のいずれかに従属し、変形防止部の天壁変形防止部と側壁変形防止部と、更に受け部とが、保護ダクト保持部として一体化され、刃軸に対して受け部で受けられる保護ダクトを挟んで対向した位置にある受け部軸を中心に共回動可能に設けられていることを特徴とする。
【００１３】
請求項６記載の保護ダクト切断工具は、請求項５に従属し、保護ダクト保持部を切断刃から遠ざかるように回動させると、より小形の配線・配管材保護ダクトを受ける小受け部が使用可能となることを特徴とする。
【００１４】
請求項７記載の保護ダクト切断工具は、請求項１から４のいずれかに従属し、受け部に、より小形の配線・配管材保護ダクトを受ける小受け部が設けられていることを特徴とする。
【発明の効果】
【００１５】
請求項１記載の保護ダクト切断工具は、壁面等に接触する当接面を備えた本体部と、相互に弾性変形することで前記本体部に着脱可能に装着される矩形外形形状のカバー部とを備え、内部に配線・配管材を収容可能な配線・配管材保護ダクトを前記本体部と前記カバー部とを組み付けた状態のまま切断する保護ダクト切断工具であって、
前記本体部の当接面を受ける受け部と、この受け部に、前記本体部に前記カバー部が装着された状態で受けられた保護ダクトを前記受け部に対して位置固定された刃軸を中心に回動して切断する切断刃とを備え、 
更に、切断時に前記受け部を挟んで前記刃軸と対向する位置に、前記切断刃が切断されるべき保護ダクトのカバー部に切り込む際に、その切断力によって外方向に変形をする前記カバー部の天壁を該天壁の形状に沿って前記受け部との相対的位置を保持しつつ受け止める天壁変形防止部と、前記カバー部の側壁を該側壁の形状に沿って前記受け部との相対的位置を保持しつつ受け止める側壁変形防止部とからなる変形防止部を備え，前記天壁変形防止部は、前記側壁変形防止部から前記刃軸側に向けて延設されたので、変形しやすいを配線・配管材保護ダクトを組み付けた状態のまま好適に切断することができる。
【００１６】
請求項２記載の保護ダクト切断工具によれば、請求項１の効果に加え、変形防止部は、受け部に連続して設けられ、天壁変形防止部と側壁変形防止部とは、切断されるカバー部の反刃軸側の側壁及び天壁に沿ったＬ字形状をなすので、保護ダクトの変形を確実に防止することができる。
【００１７】
請求項３記載の保護ダクト切断工具によれば、請求項１または２の効果に加え、天壁変形防止部の長さは、受け止めるべき保護ダクトのカバー部の天壁の切断長さの半分以上の長さで該カバー部を受け止める長さとなっているので、保護ダクトのカバー部の変形がより確実に防止され、保護ダクトをより好適に切断することができる。
【００１８】
請求項４記載の保護ダクト切断工具によれば、請求項１から３のいずれかの効果に加え、変形防止部の天壁変形防止部と側壁変形防止部とは、刃軸に対して受け部で受けられる保護ダクトを挟んで対向した位置にある受け部軸を中心に共回動可能に設けられているので、切断対象である配管・配線材保護ダクトのセットがよりしやすい。
【００１９】
請求項５記載の保護ダクト切断工具によれば、請求項１から４のいずれかの効果に加え、変形防止部の天壁変形防止部と側壁変形防止部と、更に受け部とが、保護ダクト保持部として一体化され、刃軸に対して受け部で受けられる保護ダクトを挟んで対向した位置にある受け部軸を中心に共回動可能に設けられているので、保護ダクト保持部の開口側に十分な空間がある状態で、配線・配管材保護ダクトのセットができ、そのセットがよりやりやすい。
【００２０】
請求項６記載の保護ダクト切断工具によれば、請求項５の効果に加え、保護ダクト保持部を切断刃から遠ざかるように回動させると、より小形の配線・配管材保護ダクトを受ける小受け部が使用可能となるので、例えば、二列用の保護ダクトと単列用の保護ダクトなど、二種類の保護ダクトを好適に切断することができる。
【００２１】
請求項７記載の保護ダクト切断工具によれば、請求項１から４のいずれかの効果に加え、受け部に、より小形の配線・配管材保護ダクトを受ける小受け部が設けられているので、例えば、二列用の保護ダクトと単列用の保護ダクトなど、二種類の保護ダクトを好適に切断することができる。
【発明を実施するための最良の形態】
【００２２】
以下に、本発明の実施の形態について、図面を用いて説明する。
＜実施形態１＞
図１は、本発明の保護ダクト切断工具の一例を示すもので、（ａ）はその正面図、（ｂ）はその側面図、図２（ａ）は、図１の保護ダクト切断工具の保護ダクト保持部と切断刃とが最大限開いた状態を示す正面図、（ｂ）は、この保護ダクト切断工具の切断対象である配線・配管材保護ダクトの一例を示す横断面図である。
【００２３】
まず、この保護ダクト切断工具１０の切断対象である配線・配管材保護ダクトＤＷについて図２（ｂ）を用いて説明する。
【００２４】
この配線・配管材保護ダクトＤＷは、配線・配管材を二列平行させて収容可能な二列用保護ダクトであって、合成樹脂製で可撓性があり、壁面等に接触する当接面Ｄａａを備えた本体部Ｄａと、この本体部Ｄａに相互の可撓性によって着脱可能に装着されるカバー部Ｄｂと、本体部Ｄａに収容されるべき配線・配管材とカバー部Ｄｂとの間に必要に応じて挿入される保護・断熱のための保護材Ｄｃとを備えている。
【００２５】
カバー部Ｄｂの側部分を側壁Ｄｂａ、反当接面Ｄａａ側、つまり、上面部分を天壁Ｄｂｂと称する。この配線・配管材保護ダクトＤＷは、保護材Ｄｃを用いる場合と、用いない場合とがあるが、いずれにしても、図２（ｂ）のような構成であるので、外部からの力に対して、撓みやすく変形しやすいものである。
【００２６】
保護ダクト切断工具１０は、本体部Ｄａの当接面Ｄａａを受ける回動受け部３と、この回動受け部３に、本体部Ｄａにカバー部Ｄｂが装着された状態で受けられた保護ダクトＤＷを受け部３に対して位置固定された刃軸１ａを中心に回動して切断する切断刃１とを備えている。
【００２７】
その特徴は、切断時に回動受け部３を挟んで刃軸１ａと対向する位置に、切断刃１が切断されるべき保護ダクトＤＷのカバー部Ｄｂに切り込む際に、その切断力によって外方向に変形をするカバー部Ｄｂの天壁Ｄｂｂを該天壁Ｄｂｂの形状に沿って受け部３との相対的位置を保持しつつ受け止める天壁変形防止部４Ｂと、カバー部Ｄｂの側壁Ｄｂａを該側壁Ｄｂａの形状に沿って受け部３との相対的位置を保持しつつ受け止める側壁変形防止部４Ａとからなる変形防止部４を備えたことにある。
【００２８】
本発明では、この相対的に形状変化しない回動側受け部３と変形防止部４とが特徴であり、両者を纏めて、保護ダクト保持部５と称し、その詳細は後述する。一方、工具本体６側は、例えば、特開２００５−３１２５２２号公報（本出願人によるもの）に記載された保護ダクト切断工具と同様なので詳細は省略するが、以下のような構成である。
【００２９】
刃軸１ａには切断刃１を開方向に付勢するスプリング１ｂが設けられ、切断刃１の刃軸１ａを挟んで反対側には、順次切断刃１を回動させるためのラチェット歯１ｃが設けられている。ラチェットレバー１ｄは、ラチェット歯１ｃに噛み合って、切断刃１の回動位置をその都度保持するものであると共に、その噛合いを解放することができるものである。
【００３０】
ロックレバー１ｅも、ラチェット歯１ｃに噛み合って、切断刃１の回動位置をその都度保持するものであると共に、その噛合いを解放することができるものである。操作部７は、固定側の固定ハンドル７Ａと、ハンドル軸７ａを中心に回動する回動ハンドル７Ｂとを備えている。
【００３１】
作動側ラチェットレバー７ｂは、回動ハンドル７Ｂの操作に伴い、図２の切断刃１の全開状態から、順にラチェット歯１ｃを反時計周りに回動させるものである。その際、固定ハンドル７Ａの内側のラチェットレバー１ｄは、切断刃１が時計周りに戻らないようにしている。
【００３２】
また、固定ハンドル７Ａの外側のロックレバー１ｅは、内側のラチェットレバー１ｄによるロックが効かない程度に切断刃１が反時計回りに回動した際のロックの役割をしている。なお、フックレバー７ｃは、この保護ダクト切断工具１０の不使用時に、固定ハンドル７Ａに対して回動ハンドル７Ｂを引っ掻けて、操作部７の閉状態を維持するためのものである。
【００３３】
このような構成で、この保護ダクト切断工具１０は、切断刃１を、図２の全開の状態から図１の全閉の状態までこれらの図上で反時計周りに回動させ、また、ラチェットレバー１ｄ、ロックレバー１ｅ等の操作により、図２の全開状態とすることができるものである。
【００３４】
保護ダクト保持部５は、回動側受け部３と変形防止部４とを全体として「コ」字状、より具体的には、この保護ダクト切断工具１０の主たる切断対象の配線・配管材保護ダクトＤＷである二列形保護ダクト（図３参照）の当接面Ｄａａ、側壁Ｄｂａ、天壁Ｄｂｂに接触する形状となっており、本体側受け部２の刃軸１ａと対峙する端部分に設けられた受け部軸５ａを中心として、全体として回動するようになっている。
【００３５】
つまり、変形防止部４の天壁変形防止部４Ｂと側壁変形防止部４Ａと、更に回動側受け部３とが、保護ダクト保持部５として一体化され、刃軸１ａに対して回動受け部３で受けられる保護ダクトＤＷを挟んで対向した位置にある受け部軸５ａを中心に共回動可能に設けられている。
【００３６】
また、配線・配管材保護ダクト保持部５は、図１（ｂ）に示すように、受け部軸５ａの近傍では連結されてはいるが、他の部分では、切断刃１を間に通過させるような両側一対の二股構成となっていて、これにより、配線・配管材保護ダクト保持部５に配線・配管材保護ダクトＤＷを保持しながら、切断刃１で切断できるようになっている。
【００３７】
これらの切断刃１の刃軸１ａを中心とする回動と、保護ダクト保持部５の受け部軸５ａを中心とする回動との関係は、図２（ａ）の全開状態では相互に離れて重なる部分はなく、図１の全閉状態では、切断刃１は、二股状態の配線・配管材保護ダクト保持部５に入り込んで、更に、二股状態となっている本体側受け部２の位置まで達するようになるものである。
【００３８】
本体側受け部２は、回動側受け部３を介して配線・配管材保護ダクトＤＷを受け止めるもので、その刃軸１ａに近い側には、より小さい配線・配管材保護ダクトＤＳ（図１０参照）を受ける小受け部２ａが設けられている。
【００３９】
変形防止部４の側壁変形防止部４Ａは、回動側受け部３から直角に立ち上がっており、天壁変形防止部４Ｂは、この側壁変形防止部４Ａに傾斜部分を経て直角方向に連設され、回動側受け部３に平行なものとなっている。
【００４０】
つまり、変形防止部４は、回動側受け部３に連続して設けられ、天壁変形防止部４Ｂと側壁変形防止部４Ａとは、切断されるカバー部Ｄｂの反刃軸１ａ側の側壁Ｄｂａ及び天壁Ｄｂｂに沿ったＬ字形状をなしている。更に、この保護ダクト保持部５は、側壁変形防止部４Ａから天壁変形防止部４Ｂへの傾斜連設部分を含めて、切断対象である配線・配管材保護ダクトＤＷの外形形状に沿ったものとなっており、変形防止性を高めている。
【００４１】
これより、この保護ダクト切断工具１０を用いて、配線・配管材保護ダクトＤＷ（二列形保護ダクト）を切断する状態を、図３から図９を用いて説明する。なお、これより既に説明した部分と同じ部分については同じ符号を付して重複説明を省略する。
【００４２】
図３は、図１の保護ダクト切断工具により配線・配管材保護ダクトを切断する態様を示すもので、（ａ）は開いた保護ダクト保持部に配線・配管材保護ダクトをセットした状態を示す斜視図、（ｂ）は（ａ）の状態から保護ダクト保持部を閉じて、切断する前の状態を示す斜視図である。
【００４３】
まず、切断する際には、保護ダクト保持部５と切断刃１とを全開した状態で、配線・配管材保護ダクトＤＷを保護ダクト保持部５の開口側から保護ダクト保持部５に入れる。この際、保護ダクト保持部５と切断刃１とは大きく空間を置いて離れているので、この空間を用いて長さのある配線・配管材保護ダクトＤＷを、その長手軸方向に直交する方向に移動させて、簡単に入れることができる。
【００４４】
つまり、周囲の空間に、配線・配管材保護ダクトＤＷを長手軸方向に移動させる空間がない場合でも、切断へのセット作業ができる。また、この際、本体部Ｄａの当接面Ｄａａが回動側受け部３に、カバー部Ｄｂの天壁Ｄｂｂと側壁Ｄｂａが変形防止部４に接触して保持される。
【００４５】
ついで、配線・配管材保護ダクトＤＷを収容した保護ダクト保持部５を図３（ｂ）のように閉じ状態とし、回動ハンドル７Ｂの回動操作を繰り返すと、順次、切断刃１が回動して配線・配管材保護ダクトＤＷに近づき、接触する。図４は、図３（ｂ）の状態を、配線・配管材保護ダクトの手前側から見た正面図である。
【００４６】
ここで、図４に示すように、天壁変形防止部４Ｂの長さ４Ｌは、受け止めるべき保護ダクトＤＷのカバー部Ｄｂの天壁Ｄｂｂの切断長さＤＬの半分以上の長さでカバー部Ｄｂを受け止める長さとなっている。このようにすると、保護ダクトＤＷのカバー部Ｄｂの変形がより確実に防止され、保護ダクトＤＷをより好適に切断することができる。
【００４７】
また、この天壁Ｄｂｂの切断長さＤＬの半分の部分というのは、切断刃１の切断力が作用した際に、最も大きく外側へ湾曲して変形しようとする部分であり、天壁変形防止部４Ｂの長さ４Ｌをその部分に達するようにすることで、変形防止機能がより良く発揮されるものである。
【００４８】
図５は、図４の状態から更に切断刃が配線・配管材保護ダクトに切り込んだ状態を示す正面図、図６は、図５の状態から更に切断刃が配線・配管材保護ダクトに３分の１程度切り込んだ状態を示す正面図、図７は、図６の状態から更に切断刃が配線・配管材保護ダクトに３分の２程度切り込んだ状態を示す正面図、図８は、切断刃による配線・配管材保護ダクトの切断が完了した状態を示す正面図である。
【００４９】
ここで、図５の状態に注目されたい。変形防止部４（側壁変形防止部４Ａと天壁変形防止部４Ｂ）がカバー部Ｄｂをその形状に合わせてしっかり変形しないように受けているので、それがなければ、切断刃１の力を受けて外側へ移動・変形しようとするカバー部Ｄｂの移動・変形を阻止している。
【００５０】
また、図６の状態にも注目されたい。更に、切断刃１の回動が進んで、保護材Ｄｃを切断し、本体部Ｄａの上部部分を切断し始めても、この部分がそれほど変形していない。これは、本体部Ｄａの当接面Ｄａａが回動側受け部３で受けられ、カバー部Ｄｂの側壁Ｄｂａと天壁Ｄｂｂとが変形防止部４（側壁変形防止部４Ａと天壁変形防止部４Ｂ）で受け止められているためと思われる。
【００５１】
図９（ａ）は、図１の保護ダクト切断工具で切断した配線・配管材保護ダクトを示す外観斜視図、（ｂ）は、変形防止部を備えていない保護ダクト切断工具で切断した配線・配管材保護ダクトを示す外観斜視図である。
【００５２】
本発明の保護ダクト保持部５（変形防止部４）を備えた保護ダクト切断工具１０によって、切断した図９（ａ）の配線・配管材保護ダクトＤＷは、その本体部Ｄａ、カバー部Ｄｂ、保護材Ｄｃのいずれも配線・配管材保護ダクトＤＷの軸方向に直角に凹凸無く切断されている。
【００５３】
これに比べ、このような変形防止部４のない保護ダクト切断工具で切断した配線・配管材保護ダクトＤＷは、本出願人の試験によれば、図９（ｂ）に示すように、その本体部Ｄａ、カバー部Ｄｂ、保護材Ｄｃの切断面が凸凹になっていて、このままでは、使用することができない。
【００５４】
また、この切断過程から解るように、この保護ダクト切断工具１０によれば、切断中、切断刃１に回動側受け部３が押され、したがって、これに共回動する変形防止部４も、間違っても動くことがなく、配線・配管材保護ダクトＤＷを受け止め、その移動・変形を防止することができる。
【００５５】
つまり、この保護ダクト切断工具１０によれば、切断時に配線・配管材保護ダクトＤＷの変形が防止されて、変形しやすいを配線・配管材保護ダクトを好適に切断することができる。
【００５６】
更に、変形防止部４（側壁変形防止部４Ａと天壁変形防止部４Ｂ）は配線・配管材保護ダクトＤＷの側壁Ｄｂａと天壁Ｄｂｂの形状に対応したＬ字状のものであるので、その変形を確実に防止することができる。一方、この例では、変形防止部４と回動受け部３とは一体化されて保護ダクト保持部５として共回動するが、後述するように、このような共回動は、保護ダクト保持部５への配線・配管材保護ダクトＤＷ、ＤＳのセットをしやすくするためのもので、変形を防止するための必須の要件ではない。
【００５７】
図１０（ａ）は図３に示した配線・配管材保護ダクトより小型の配線・配管材保護ダクトを示す外観斜視図、（ｂ）は（ａ）の配線・配管材保護ダクトを図１の保護ダクト切断工具で切断する場合の態様を示す正面図である。
【００５８】
図１０（ａ）の配線・配管材保護ダクトＤＳは、図３の配線・配管材保護ダクトＤＷに比べ、配線・配管材を単列収容する単列用保護ダクトであり、同様の合成樹脂製であり、可撓性があるが、その可撓性の程度は小さいものであり、同様な本体部Ｄｄ、カバー部Ｄｅ、保護材Ｄｆを備えている。
【００５９】
このような小型の配線・配管材保護ダクトＤＳを切断する場合は、保護ダクト保持部５を開いて、本体側受け部２を覗かせ、その小受け部２ａに配線・配管材保護ダクトＤＳを図１０（ｂ）で示すように載せて、切断する。この場合、変形防止部のようなものがなくとも、配線・配管材保護ダクトＤＳの撓みが少ないので、その切断面は、その長手軸方向に直角で、凹凸のないものとなる。
【００６０】
つまり、この保護ダクト切断工具１０によれば、大きくてより撓みやすく変形しやすい配線・配管材保護ダクトＤＷは、保護ダクト保持部（変形防止部４）５を用いることで好適に、小さくて撓みの少ない配線・配管材保護ダクトＤＳは、配線・配管材保護ダクト保持部（変形防止部）５を用いることなく、小受け部２ａで好適に切断することができる。
【００６１】
なお、変形防止部４（側壁変形防止部４Ａと天壁変形防止部４Ｂ）の形状は、この例示のものに限定されず、切断対象の外径形状に合わせて、曲線を含むものであってもよい。つまり、例えば、天壁が緩やかな突曲面の場合にはそれに合わせた曲面とするのがよく、側壁と天壁との間が曲面で連結されている場合には、それに合わせたコーナー部分を設けるのがよい。
【００６２】
＜実施形態２＞
図１１は、本発明の保護ダクト切断工具の他例を示すもので、（ａ）はその正面図、（ｂ）はその側面図である。
【００６３】
この保護ダクト切断工具１０Ａは、図１の保護ダクト切断工具１０に比べ、保護ダクト保持部５Ａの回動側受け部３Ａが短寸のものとなり、切断時には、本体側受け部２Ａと共同して、配線・配管材保護ダクトＤＷの当接面Ｄａａを受けるようになっている点が異なっている。
【００６４】
また、小受け部２ｂも、本体側受け部２Ａが、回動側受け部３Ａと同一面を形成するように、配線・配管材保護ダクトＤＷ側により高くなっているのに対応して、切断工具１０の小受け部２Ａがより深いものとなっている点が異なっている。
【００６５】
このような構成の保護ダクト切断工具１０Ａによれば、図１〜図１０の保護ダクト切断工具１０と同様に、変形防止部４を備え、回動側受け部３Ａは共回動するので、保護ダクト切断工具１０と同様の効果を発揮することができる。
【００６６】
＜実施形態３＞
図１２は、本発明の保護ダクト切断工具の他例を示すもので、（ａ）はその正面図、（ｂ）はその側面図、図１３（ａ）、（ｂ）は、図１２の保護ダクト切断工具の使用態様を示す正面図である。
【００６７】
この保護ダクト切断工具１０Ｂは、図１の保護ダクト切断工具１０に比べ、保護ダクト保持部５Ｂの回動側受け部が無くなり、切断時には、本体側受け部２Ｂが、配線・配管材保護ダクトＤＷの当接面Ｄａａを受け、小受け部が設けられていない点が異なっている。
【００６８】
このような構成の保護ダクト切断工具１０Ａによれば、図１〜図１０の保護ダクト切断工具１０と同様に、変形防止部４を備え、図１３（ａ）に示すように、保護ダクト保持部５Ｂは保護ダクトＤＷを受けた状態で回動するので、保護ダクト切断工具１０と同様の効果を発揮することができる。
【００６９】
また、小型の配線・配管材保護ダクトＤＳについては、図１３（ｂ）に示すように、変形防止部４にそのカバー部Ｄｅが接するようにすることで、好適に切断することができる。
【００７０】
＜実施形態３＞
図１４は、本発明の保護ダクト切断工具の他例を示すもので、（ａ）はその正面図、（ｂ）はその側面図である。
【００７１】
この保護ダクト切断工具１０Ｃは、図１２の保護ダクト切断工具１０Ｂに比べ、保護ダクト保持部５Ｃのが、本体側受け部２Ｃに対して、固定手段５ｂにより回動しないように固定されている点が異なっている。
【００７２】
このような構成の保護ダクト切断工具１０によれば、図１〜図１０の保護ダクト切断工具１０と同様に、変形防止部４を備えているので、保護ダクト切断工具１０と同様の変形防止効果を発揮することができる。
【００７３】
一方、保護ダクト保持部５Ｃは回動しないので、配線・配管材保護ダクトＤＷ、ＤＳをセットする際には、保護ダクトＤＷ、ＤＳをその軸方向に移動して、保護ダクト保持部５Ｃ内に入れるようにする必要がある。
【００７４】
本発明の保護ダクト切断工具は、上記の実施態様に限定されず、特許請求の範囲に記載された範囲、実施態様の範囲で、種々の変形例、組み合わせが可能であり、本発明の技術的範囲には、これらの変形例、組み合わせも含まれるものである。
【産業上の利用可能性】
【００７５】
本発明の保護ダクト切断工具は、変形しやすいを配線・配管材保護ダクトを好適に切断することができることが要請される産業上の分野に用いることができる。
【図面の簡単な説明】
【００７６】
【図１】本発明の保護ダクト切断工具の一例を示すもので、（ａ）はその正面図、（ｂ）はその側面図
【図２】（ａ）は、図１の保護ダクト切断工具の保護ダクト保持部と切断刃とが最大限開いた状態を示す正面図、（ｂ）は、この保護ダクト切断工具の切断対象である配線・配管材保護ダクトの一例を示す横断面図
【図３】図１の保護ダクト切断工具により配線・配管材保護ダクトを切断する態様を示すもので、（ａ）は開いた保護ダクト保持部に配線・配管材保護ダクトをセットした状態を示す斜視図、（ｂ）は（ａ）の状態から保護ダクト保持部を閉じて、切断する前の状態を示す斜視図
【図４】図３（ｂ）の状態を、配線・配管材保護ダクトの手前側から見た正面図
【図５】図４の状態から更に切断刃が配線・配管材保護ダクトに切り込んだ状態を示す正面図
【図６】図５の状態から更に切断刃が配線・配管材保護ダクトに３分の１程度切り込んだ状態を示す正面図
【図７】図６の状態から更に切断刃が配線・配管材保護ダクトに３分の２程度切り込んだ状態を示す正面図
【図８】切断刃による配線・配管材保護ダクトの切断が完了した状態を示す正面図
【図９】（ａ）は、図１の保護ダクト切断工具で切断した配線・配管材保護ダクトを示す外観斜視図、（ｂ）は、変形防止部を備えていない保護ダクト切断工具で切断した配線・配管材保護ダクトを示す外観斜視図
【図１０】（ａ）は図３に示した配線・配管材保護ダクトより小型の配線・配管材保護ダクトを示す外観斜視図、（ｂ）は（ａ）の配線・配管材保護ダクトを図１の保護ダクト切断工具で切断する場合の態様を示す正面図
【図１１】本発明の保護ダクト切断工具の他例を示すもので、（ａ）はその正面図、（ｂ）はその側面図
【図１２】本発明の保護ダクト切断工具の他例を示すもので、（ａ）はその正面図、（ｂ）はその側面図
【図１３】（ａ）、（ｂ）は、図１２の保護ダクト切断工具の使用態様を示す正面図
【図１４】本発明の保護ダクト切断工具の他例を示すもので、（ａ）はその正面図、（ｂ）はその側面図
【図１５】本発明の背景技術となる切断工具を例示するもので、（ａ）はその正面図、（ｂ）は（ａ）を上方より見た所を示す上面図
【符号の説明】
【００７７】
１        切断刃
１ａ      刃軸  
２〜２Ｃ        本体側受け部
２ａ      小受け部
３〜３Ａ        回動側受け部（受け部）
３ａ      小受け部
４        変形防止部
４Ａ      側壁変形防止部
４Ｂ      天壁変形防止部    
４Ｌ      天壁変形防止部の長さ
５〜５Ｃ        保護ダクト保持部
５ａ      受け部軸
６        工具本体
７        操作部  
１０〜１０Ｃ        保護ダクト切断工具
Ｄａ      本体部    
Ｄａａ    当接面
Ｄｂ      カバー部  
Ｄｂａ    側壁  
Ｄｂｂ    天壁    
Ｄｃ      保護材
ＤＬ      天壁の切断長さ
ＤＷ      配線・配管材保護ダクト
ＤＳ      配線・配管材保護ダクト
【図１】
0005145087.tif 000002
【図２】
0005145087.tif 000003
【図３】
0005145087.tif 000004
【図４】
0005145087.tif 000005
【図５】
0005145087.tif 000006
【図６】
0005145087.tif 000007
【図７】
0005145087.tif 000008
【図８】
0005145087.tif 000009
【図９】
0005145087.tif 000010
【図１０】
0005145087.tif 000011
【図１１】
0005145087.tif 000012
【図１２】
0005145087.tif 000013
【図１３】
0005145087.tif 000014
【図１４】
0005145087.tif 000015
【図１５】
0005145087.tif 000016